【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
１つまたは複数のデータイメージのそれぞれのライフサイクルポリシを定めるための方法であって、
第１のライフサイクルを定めるために、第１のデータ記憶媒体上に記憶されたデータイメージを選択するステップと、
ユーザ入力に応答して前記第１のライフサイクルを定めるステップであって、前記第１のデータ記憶媒体から第２のデータ記憶媒体に前記データイメージを移し始める時点を示す第１の時点値を指定するユーザ入力を受け取るステップ、および前記第２のデータ記憶媒体から第３のデータ記憶媒体に前記データイメージを最初に移動可能にする時点を示す、第２の時点値を特定するステップを含み、前記第１のデータ記憶媒体から前記第２のデータ記憶媒体への前記データイメージの移動がバックアップ操作を含み、前記第２のデータ記憶媒体から第３のデータ記憶媒体への前記データイメージの移動が複製操作を含む、前記第１のライフサイクルを定めるステップと、
グラフィカルユーザインタフェイス上に前記第１のライフサイクルのスケジューリングを提示するステップと、
前記第１のライフサイクルに対応するデータを記憶するステップであって、前記データは、前記データイメージ、前記第１の時点値、前記第２の時点値、前記第１のデータ記憶媒体、および前記第２のデータ記憶媒体を識別するデータを含む、データを記憶するステップと、
前記複製操作中に前記データイメージを移すために、利用できる１つまたは複数の時間窓をユーザに提示し、前記利用できる１つまたは複数の時間窓は、前記バックアップ操作のための時間窓と所定の閾値を超えて重複しない、ステップと
を含む、方法。
【請求項２】
前記特定した第２の時点値に加え、前記複製操作中の前記データイメージの前記最初の移動の許可が、前記第２のデータ記憶媒体または前記第３のデータ記憶媒体の現在の使用可能容量、前記データイメージの業務上の価値、前記データイメージの古さ、および前記データイメージの大きさのうちの少なくとも１つによってさらに適格と認められる、請求項１に記載の方法。
【請求項３】
競合を検出するステップをさらに含み、前記競合は、２つ以上のライフサイクルポリシが、所与のデータ記憶媒体のスケジュールされた同時アクセスを含むこと、所与のデータ記憶媒体の使用可能容量が、所定の閾値に達したこと、スケジュールされた移動を完了した時点での所与のデータ記憶媒体の予測使用可能容量が、所定の閾値に一致すること、および所与のデータイメージを移動するための予測持続時間が、使用可能な時間窓を超えることのうちの少なくとも１つを含む、請求項１に記載の方法。
【請求項４】
前記競合を検出することに応答して、前記競合に対応するメッセージを提示し、既存のライフサイクルに対応する１つまたは複数の記憶された値を修正する機会をユーザに与えるステップをさらに含む、請求項３に記載の方法。
【請求項５】
それぞれの時点値に到達したこと、および特定した他の任意の適格値に到達したことを検出することに応答して、前記データイメージを複製操作中に移動するステップをさらに含む、請求項２に記載の方法。
【請求項６】
それぞれのコピー元データ記憶媒体からの前記データイメージの移動が完了したことを検出することに応答して、前記それぞれのコピー元データ記憶媒体上の前記データイメージのコピーを削除するステップをさらに含む、請求項５に記載の方法。
【請求項７】
１つまたは複数のプロセッサと、プログラム命令を記憶するメモリとを備えるバックアップサーバにおいて、
前記プログラム命令が、
第１のライフサイクルを定めるために、ユーザ入力を受け取って第１のデータ記憶媒体上に記憶されたデータイメージを選択するステップと、
ユーザ入力に応答して前記第１のライフサイクルを定めるステップとを前記１つまたは複数のプロセッサに実行させ、
当該定めるステップにおいて、前記プログラム命令は、前記第１のデータ記憶媒体から第２のデータ記憶媒体に前記データイメージを移し始める時点を示す第１の時点値を指定するユーザ入力を受け取るステップ、および前記第２のデータ記憶媒体から第３のデータ記憶媒体に前記データイメージを最初に移動可能にする時点を示す、第２の時点値を特定するステップ
を前記１つまたは複数のプロセッサにより実行させ、
前記第１のデータ記憶媒体から前記第２のデータ記憶媒体への前記データイメージの移動がバックアップ操作を含み、前記第２のデータ記憶媒体から第３のデータ記憶媒体への前記データイメージの移動が複製操作を含み、
更に、前記プログラム命令は、
グラフィカルユーザインタフェイス上に前記第１のライフサイクルのスケジューリングを提示するステップと、
前記第１のライフサイクルに対応するデータを記憶し、前記データは、前記データイメージ、前記第１の時点値、前記第２の時点値、前記第１のデータ記憶媒体、および前記第２のデータ記憶媒体を識別するデータを含む、ステップと、
前記複製操作中に前記データイメージを移すために、利用できる１つまたは複数の時間窓を前記グラフィカルユーザインタフェイスにおいて提示し、前記利用できる１つまたは複数の時間窓は、前記バックアップ操作のための時間窓と所定の閾値を超えて重複しない、ステップと
を前記１つまたは複数のプロセッサにより実行させる、
バックアップサーバ。
【請求項８】
前記特定した第２の時点値に加え、前記複製操作中の前記データイメージの前記最初の移動の許可が、前記第２のデータ記憶媒体または前記第３のデータ記憶媒体の現在の使用可能容量、前記データイメージの業務上の価値、前記データイメージの古さ、および前記データイメージの大きさのうちの少なくとも１つによってさらに適格と認められる、請求項７に記載のコンピュータシステム。
【請求項９】
前記プログラム命令が、競合を検出するように前記１つまたは複数のプロセッサによりさらに実行可能であり、前記競合は、２つ以上のライフサイクルポリシが、所与のデータ記憶媒体のスケジュールされた同時アクセスを含むこと、所与のデータ記憶媒体の使用可能容量が、所定の閾値に達したこと、スケジュールされた移動を完了した時点での所与のデータ記憶媒体の予測使用可能容量が、所定の閾値に一致すること、および所与のデータイメージを移動するための予測持続時間が、使用可能な時間窓を超えることのうちの少なくとも１つを含む、請求項７に記載のコンピュータシステム。
【請求項１０】
前記競合を検出することに応答して、前記プログラム命令が、前記競合に対応するメッセージを提示し、既存のライフサイクルに対応する１つまたは複数の記憶された値を修正する機会をユーザに与えるように前記１つまたは複数のプロセッサにより実行可能である、請求項９に記載のコンピュータシステム。
【請求項１１】
それぞれの時点値に到達したこと、および特定した他の任意の適格値に到達したことを検出することに応答して、前記データイメージを複製操作中に移動することをさらに含む、請求項８に記載のコンピュータシステム。
【請求項１２】
前記プログラム命令が、それぞれのコピー元データ記憶媒体からの前記データイメージの移動が完了したことを検出することに応答して、前記それぞれのコピー元データ記憶媒体上の前記データイメージのコピーを削除するように前記１つまたは複数のプロセッサによりさらに実行可能である、請求項１１に記載のコンピュータシステム。
【請求項１３】
１つまたは複数のデータイメージのそれぞれのライフサイクルポリシを定めるためのプログラム命令であって、プロセッサにより実行可能なプログラム命令を記憶するコンピュータ可読記憶媒体において、前記プログラム命令は、
第１のライフサイクルを定めるために、第１のデータ記憶媒体上に記憶されたデータイメージを選択するステップと、
ユーザ入力に応答して前記第１のライフサイクルを定めるステップとを含み、
当該定めるステップは、前記第１のデータ記憶媒体から第２のデータ記憶媒体に前記データイメージを移し始める時点を示す、第１の時点値を指定するユーザ入力を受け取るステップ、および
前記第２のデータ記憶媒体から第３のデータ記憶媒体に前記データイメージを最初に移動可能にする時点を示す、第２の時点値を特定するステップ
を含み、前記第１のデータ記憶媒体から前記第２のデータ記憶媒体への前記データイメージの移動がバックアップ操作を含み、前記第２のデータ記憶媒体から第３のデータ記憶媒体への前記データイメージの移動が複製操作を含み、
前記プログラム命令は、さらに、
グラフィカルユーザインタフェイス上に前記第１のライフサイクルのスケジューリングを提示するステップと、
前記第１のライフサイクルに対応するデータを記憶し、前記データは、前記データイメージ、前記第１の時点値、前記第２の時点値、前記第１のデータ記憶媒体、および前記第２のデータ記憶媒体を識別するデータを含む、ステップと、
前記複製操作中に前記データイメージを移すために、利用できる１つまたは複数の時間窓を前記グラフィカルユーザインタフェイスにおいて提示し、前記利用できる１つまたは複数の時間窓は、前記バックアップ操作のための時間窓と所定の閾値を超えて重複しない、ステップとを含む、
コンピュータ可読記憶媒体。
【請求項１４】
前記特定した第２の時点値に加え、前記複製操作中の前記データイメージの前記最初の移動の許可が、前記第２のデータ記憶媒体または前記第３のデータ記憶媒体の現在の使用可能容量、前記データイメージの業務上の価値、前記データイメージの古さ、および前記データイメージの大きさのうちの少なくとも１つによってさらに適格と認められる、請求項１３に記載のコンピュータ可読記憶媒体。